(57)【要約】【課題】衛生洗浄装置の流路切替弁装置において、バルブディスクを収容するケーシング内に水が残ることを抑制し、ケーシング内における菌の繁殖、およびケーシング内の水の凍結に起因するバルブディスクの破損を防止する。【解決手段】給水源から供給された水を吐出する複数の吐水部と、複数の吐水部の上流側に設けられ、各吐水部への流路に対して水を供給する流路を切り替える流調・流路切替弁装置５０と、を備えた衛生洗浄装置２であって、流調・流路切替弁装置５０は、相対移動することで流路を切り替える固定ディスク５２および可動ディスク５３と、固定ディスク５２および可動ディスク５３を収容するケーシング５１と、ケーシング５１から突出した状態で設けられ、複数の吐水部の各吐水部に対する流路を構成する排水管部５４と、を有し、全ての排水管部５４は、固定ディスク５２および可動ディスク５３より下方の位置に設けられている。【選択図】図９
2020016105.tif 000002
【特許請求の範囲】
【請求項１】
給水源から供給された水を吐出する複数の吐水部と、前記複数の吐水部の上流側に設けられ、各吐水部への流路に対して水を供給する流路を切り替える流路切替弁装置と、を備えた衛生洗浄装置であって、
前記流路切替弁装置は、
相対移動することで流路を切り替える複数のバルブディスクと、
前記複数のバルブディスクを収容するケーシングと、
前記ケーシングから突出した状態で設けられ、前記複数の吐水部の各吐水部に対する流路を構成する排水管部と、を有し、
全ての前記排水管部は、前記複数のバルブディスクより下方の位置に設けられている
ことを特徴とする衛生洗浄装置。
【請求項２】
前記複数のバルブディスクとして、前記ケーシングに対して固定状態で設けられた固定ディスクと、前記固定ディスクの上側に位置し、前記固定ディスクに対して回動可能に設けられた可動ディスクと、を有し、
前記可動ディスクは、その回動軸の方向を上下方向とする
ことを特徴とする請求項１に記載の衛生洗浄装置。
【請求項３】
全ての前記排水管部は、前記ケーシングからの突出方向を、水平方向または水平方向よりも下方に向けている
ことを特徴とする請求項１または請求項２に記載の衛生洗浄装置。
【請求項４】
前記ケーシングの下端部に、側方に開口して前記排水管部に連通する排出口が設けられている
ことを特徴とする請求項１〜３のいずれか１項に記載の衛生洗浄装置。
【請求項５】
前記ケーシングには、前記給水源から供給された水を前記ケーシング内に流入させる給水口が設けられており、
前記ケーシングは、
前記複数のバルブディスクの周囲を囲繞するとともに前記給水口のみ開口させた周壁部と、
複数の前記排水管部が配設され、複数のバルブディスクの下側において各排水管部に連通する流路を形成する排水流路形成部と、を有する
ことを特徴とする請求項２〜４のいずれか１項に記載の衛生洗浄装置。
【請求項６】
給水源から供給された水を吐出する複数の吐水部の上流側に設けられ、各吐水部への流路に対して水を供給する流路を切り替える流路切替弁装置であって、
相対移動することで流路を切り替える複数のバルブディスクと、
前記複数のバルブディスクを収容するケーシングと、
前記ケーシングから突出した状態で設けられ、前記複数の吐水部の各吐水部に対する流路を構成する排水管部と、を有し、
全ての前記排水管部は、前記複数のバルブディスクより下方の位置に設けられている
ことを特徴とする流路切替弁装置。
【発明の詳細な説明】
【技術分野】
【０００１】
本発明は、人体の局部を洗浄する衛生洗浄装置および衛生洗浄装置に備えられる流路切替弁装置に関する。
【背景技術】
【０００２】
従来、例えば洋式腰掛便器等の便器に搭載されて人体の局部を洗浄する衛生洗浄装置においては、複数の洗浄水（水）の供給先に対して水の流路を切り替えるための流路切替弁装置が設けられている。流路切替弁装置としては、相対移動する２つのバルブディスクを有し、これらのバルブディスクの位置関係によって流路を切り替えるディスクバルブ機構を備えたものが知られている（例えば、特許文献１参照。）。
【０００３】
特許文献１には、流路切替弁装置の構成として、駆動装置により回転する可動側のバルブディスクと、水の供給先に連通する複数のスリットが形成された固定側のバルブディスクとを有し、これらのバルブディスクをケーシング（ハウジング）内に収納した構成が開示されている。特許文献１の流路切替弁装置は、水の供給先として、人体の局部を洗浄するための複数のノズルと、これらのノズルを洗浄するための洗浄水吐出部とを有する。
【０００４】
そして、特許文献１の流路切替弁装置においては、水の供給先毎に、ケーシングから突出した中空円筒状の排水管部が設けられている。各排水管部には、各供給先への水の流路を構成するパイプ等が接続される。すなわち、流路切替弁装置からの水の各供給先に対して、ケーシングに突設された排水管部を含む流路が構成されており、ディスクバルブ機構の動作によって、複数の供給先に対する流路が選択的に切り替えられる。
【先行技術文献】
【特許文献】
【０００５】
【特許文献１】特開２０１１−４２９８１号公報
【発明の概要】
【発明が解決しようとする課題】
【０００６】
特許文献１に開示された流路切替弁装置の構成によれば、次のような問題がある。まず、特許文献１の流路切替弁装置は、ケーシングから突出した排水管部として、ディスクバルブ機構を構成するバルブディスクと同等の高さ位置、あるいはバルブディスクよりも上方の位置に設けられた排水管部を有する。このような構成によれば、ケーシング内の水が排水管部から全て排出されずにケーシング内に溜まりやすく、ケーシング内におけるバルブディスクの周りに水が残存しやすくなる。
【０００７】
ケーシング内に溜まった水は菌を繁殖させる原因となるため、ケーシング内に水が溜まることは、衛生上好ましくない。また、一般的にバルブディスクはケーシング等と比べて硬質の材料により構成されていること等から、例えば寒冷地において、バルブディスクの周りやバルブディスクの内部に残存した水は、凍結して膨張することでバルブディスクを破損させる原因となり得る。
【０００８】
本発明は、このような問題点に鑑みてなされたものであり、バルブディスクを収容するケーシング内に水が残ることを抑制することができ、ケーシング内における菌の繁殖、およびケーシング内の水の凍結に起因するバルブディスクの破損を防ぐことができる衛生洗浄装置および流路切替弁装置を提供することを目的とする。
【課題を解決するための手段】
【０００９】
本発明に係る衛生洗浄装置は、給水源から供給された水を吐出する複数の吐水部と、前記複数の吐水部の上流側に設けられ、各吐水部への流路に対して水を供給する流路を切り替える流路切替弁装置と、を備えた衛生洗浄装置であって、前記流路切替弁装置は、相対移動することで流路を切り替える複数のバルブディスクと、前記複数のバルブディスクを収容するケーシングと、前記ケーシングから突出した状態で設けられ、前記複数の吐水部の各吐水部に対する流路を構成する排水管部と、を有し、全ての前記排水管部は、前記複数のバルブディスクより下方の位置に設けられているものである。
【００１０】
このような構成の衛生洗浄装置によれば、バルブディスクを収容するケーシング内に水が残ることを抑制することができ、ケーシング内における菌の繁殖、およびケーシング内の水の凍結に起因するバルブディスクの破損を防ぐことができる。
【００１１】
本発明に係る衛生洗浄装置の他の態様は、前記衛生洗浄装置において、前記複数のバルブディスクとして、前記ケーシングに対して固定状態で設けられた固定ディスクと、前記固定ディスクの上側に位置し、前記固定ディスクに対して回動可能に設けられた可動ディスクと、を有し、前記可動ディスクは、その回動軸の方向を上下方向とするものである。
【００１２】
このような構成の衛生洗浄装置によれば、複数の排水管部を全てバルブディスクよりも下方の位置に配設するための構成を容易に実現することができるとともに、ディスクバルブ機構における洗浄水の流れを、重力の作用が得られやすい方向とすることができる。これにより、ケーシング内の水抜きにおいて排水速度を速めることができ、ケーシング内から効率的に洗浄水を排出することができる。
【００１３】
本発明に係る衛生洗浄装置の他の態様は、前記衛生洗浄装置において、全ての前記排水管部は、前記ケーシングからの突出方向を、水平方向または水平方向よりも下方に向けているものである。
【００１４】
このような構成の衛生洗浄装置によれば、例えば排水管部をケーシングから下方に向けて突出させた構成と比べて、流路切替弁装置全体の高さを抑制することができ、流路切替弁装置のコンパクト化を図ることができる。
【００１５】
本発明に係る衛生洗浄装置の他の態様は、前記衛生洗浄装置において、前記ケーシングの下端部に、側方に開口して前記排水管部に連通する排出口が設けられているものである。
【００１６】
このような構成の衛生洗浄装置によれば、例えばケーシングの下面に排出口を開口させた構成と比べて、流路切替弁装置全体の高さを抑制することができ、流路切替弁装置のコンパクト化を図ることができる。
【００１７】
本発明に係る衛生洗浄装置の他の態様は、前記衛生洗浄装置において、前記ケーシングには、前記給水源から供給された水を前記ケーシング内に流入させる給水口が設けられており、前記ケーシングは、前記複数のバルブディスクの周囲を囲繞するとともに前記給水口のみ開口させた周壁部と、複数の前記排水管部が配設され、複数のバルブディスクの下側において各排水管部に連通する流路を形成する排水流路形成部と、を有するものである。
【００１８】
このような構成の衛生洗浄装置によれば、例えばケーシングの上面に給水口を設けた構成と比べて、流路切替弁装置全体の高さを抑制することができ、流路切替弁装置のコンパクト化を図ることができる。また、複数の排水管部を全てバルブディスクよりも下方の位置に配設するための構成を容易に実現することができるとともに、ケーシングの構成を比較的シンプルにすることが可能となる。
【００１９】
本発明に係る流路切替弁装置は、給水源から供給された水を吐出する複数の吐水部の上流側に設けられ、各吐水部への流路に対して水を供給する流路を切り替える流路切替弁装置であって、相対移動することで流路を切り替える複数のバルブディスクと、前記複数のバルブディスクを収容するケーシングと、前記ケーシングから突出した状態で設けられ、前記複数の吐水部の各吐水部に対する流路を構成する排水管部と、を有し、全ての前記排水管部は、前記複数のバルブディスクより下方の位置に設けられているものである。
【００２０】
このような構成の流路切替弁装置によれば、バルブディスクを収容するケーシング内に水が残ることを抑制することができ、ケーシング内における菌の繁殖、およびケーシング内の水の凍結に起因するバルブディスクの破損を防ぐことができる。
【発明の効果】
【００２１】
本発明によれば、バルブディスクを収容するケーシング内に水が残ることを抑制することができ、ケーシング内における菌の繁殖、およびケーシング内の水の凍結に起因するバルブディスクの破損を防ぐことができる。
【図面の簡単な説明】
【００２２】
【図１】本発明の一実施形態に係るトイレ装置を示す斜視図である。
【図２】本発明の一実施形態に係る衛生洗浄装置を示すブロック図である。
【図３】本発明の一実施形態に係る流調・流路切替弁装置およびそれに関する構成を模式的に示す図である。
【図４】本発明の一実施形態に係る流調・流路切替弁装置の前方斜視図である。
【図５】本発明の一実施形態に係る流調・流路切替弁装置の正面図である。
【図６】本発明の一実施形態に係る流調・流路切替弁装置の背面図である。
【図７】本発明の一実施形態に係る流調・流路切替弁装置の左側面図である。
【図８】本発明の一実施形態に係る流調・流路切替弁装置の平面図である。
【図９】本発明の一実施形態に係る流調・流路切替弁装置の背面断面図である。
【図１０】本発明の一実施形態に係る流調・流路切替弁装置の分解斜視図である。
【図１１】本発明の一実施形態に係る流調・流路切替弁装置の変形例についての説明図である。
【発明を実施するための形態】
【００２３】
本発明は、衛生洗浄装置に備えられる流路切替弁装置において、例えば一対のバルブディスクを含むディスクバルブ機構を収容するケーシングから外側に突設された排水管部の配置構成やケーシングの構成等を工夫することにより、ケーシング内に水が溜まることを抑制し、衛生面の改善を図るとともに、水の凍結によるバルブディスクへの影響を防止しようとするものである。以下、本発明の実施の形態を説明する。本実施形態では、流路切替弁装置を備えた衛生洗浄装置が、トイレ装置において洋式腰掛便器の上に設置された構成を例にとって説明する。
【００２４】
図１に示すように、本実施形態に係るトイレ装置１は、衛生洗浄装置２と、洋式腰掛便器である便器３とを備える。衛生洗浄装置２は、トイレ装置１において、便器３の上に設置された状態で設けられている。衛生洗浄装置２は、便器３に対して着脱可能に取り付けられた構成であってもよく、便器３と一体的に設けられた構成であってもよい。
【００２５】
便器３は、上側を開放側とした凹状のボウル部３ａを有する。便器３は、ボウル部３ａにおいてトイレ装置１の使用者の尿や便などの排泄物を受ける。
【００２６】
衛生洗浄装置２は、所定のケースカバー５内に各種の装置構成を内蔵した本体部４と、本体部４のケースカバー５に対して回動可能に支持された便座６および便蓋７とを有する。衛生洗浄装置２は、便器３に対して、本体部４をボウル部３ａの後方の上側に位置させ、便座６および便蓋７の回動動作によってボウル部３ａの上側の開放部を開閉するように設けられる。
【００２７】
衛生洗浄装置２について、図２を参照して説明する。図２に示すように、衛生洗浄装置２は、制御部１０と、操作部１１と、洗浄水供給部１２と、着座検知センサ１３と、人体検知センサ１４と、洗浄ノズル１５と、ノズル洗浄室１６と、噴霧ノズル１７と、脱臭ユニット１８とを有する。
【００２８】
制御部１０は、洗浄水供給部１２や脱臭ユニット１８等の各部の動作を制御する。制御部１０は、例えば、操作部１１に対する操作に基づく操作部１１からの入力信号に応じて、各部の動作を制御する。操作部１１は、衛生洗浄装置２の本体部４に設けてられてもよいし、本体部４とは別に設けられてもよい。操作部１１は、例えばリモートコントローラとして設けられる。また、制御部１０と操作部１１との間の通信方式は、有線であっても無線であってもよい。
【００２９】
洗浄水供給部１２は、水道等の所定の給水源からの給水を受け、供給された洗浄水（水）を、衛生洗浄装置２が有する複数の吐水部としての洗浄水の供給先へと選択的に供給する。洗浄水供給部１２は、流路開閉弁２１と、熱交換器２２と、電解槽２３と、大気解放式のバキュームブレーカ（ＶＢ）２４と、電磁ポンプ２５と、本実施形態に係る流路切替弁装置である流調・流路切替弁装置５０とを有する。
【００３０】
流路開閉弁２１は、例えば電磁弁であり、洗浄水供給部１２の上流側において、洗浄水供給部１２に供給される水の流路を開閉する。つまり、流路開閉弁２１は、その開閉動作によって、給水源から供給される洗浄水の給水と止水とを切り替える。流路開閉弁２１は、制御部１０からの制御信号に基づいて開閉動作する。
【００３１】
熱交換器２２は、流路開閉弁２１の下流側に設けられている。熱交換器２２は、ヒータを有し、ヒータにより、給水源から供給された洗浄水を加熱して温水とする。熱交換器２２により得られる温水の温度は、例えば操作部１１において使用者によって設定される。このように熱交換器２２を有する洗浄水供給部１２から各供給先に供給される洗浄水には、給水源から供給されたままの水と、熱交換器２２によって加熱された温水とが含まれる。熱交換器２２は、例えばセラミックヒータ等を用いた瞬間加熱式のものでもよいし、貯湯タンクを用いた貯湯加熱式のものでもよい。
【００３２】
電解槽２３は、熱交換器２２の下流側に設けられている。電解槽２３は、一対の電極を有し、電極間に流れる洗浄水を電気分解する。電解槽２３は、洗浄水に含まれる塩素イオンを電気分解することにより、機能水として、次亜塩素酸（ＨＣｌＯ）を含む水を生成する。電解槽２３における通電動作は、制御部１０からの制御信号に基づいて制御される。
【００３３】
電解槽２３を通過した洗浄水あるいは電解槽２３により生成された機能水（以下まとめて「洗浄水」または「水」ともいう。）は、電磁ポンプ２５を介して、流調・流路切替弁装置５０へと送られる。流調・流路切替弁装置５０は、電磁ポンプ２５と洗浄ノズル１５との間に設けられている。流調・流路切替弁装置５０においては、洗浄水の流量の調整、および複数の洗浄水の供給先に対する流路の切替えが行われる。
【００３４】
本実施形態に係る衛生洗浄装置２は、洗浄水の供給先として、洗浄ノズル１５、ノズル洗浄室１６、噴霧ノズル１７、および脱臭ユニット１８を有する。なお、洗浄ノズル１５に供給される洗浄水については、適宜電磁ポンプ２５によって脈動が与えられる。
【００３５】
着座検知センサ１３は、使用者の着座として、便座６に着座する直前の使用者や便座６に着座した状態の使用者を検知する。着座検知センサ１３は、その検知信号を制御部１０に対して出力する。着座検知センサ１３は、例えば、赤外線投受光式の測距センサや、便座６に着座した使用者の荷重を検知するスイッチである。
【００３６】
人体検知センサ１４は、トイレ装置１が設置されたトイレルーム内に入室した使用者を検知する。人体検知センサ１４は、その検知信号を制御部１０に対して出力する。人体検知センサ１４は、例えば、赤外線信号を利用した焦電センサや、マイクロ波を用いたマイクロ波ドップラセンサ等の電波センサである。
【００３７】
洗浄ノズル１５は、人体（使用者）の局部を洗浄する洗浄水を吐出する複数の吐水孔２６を有する。本実施形態では、洗浄ノズル１５は、吐水孔２６として、おしり洗浄用のおしり洗浄吐水孔２６ａおよびおしりソフト吐水孔２６ｂ、並びにビデ・ワイドビデ洗浄用のビデ・ワイドビデ洗浄吐水孔２６ｃを有し、各吐水孔２６から洗浄水を吐水可能に構成されている。洗浄ノズル１５は、本体部４から便器３のボウル部３ａ内に対して進退可能に設けられており、トイレ装置１の使用者によるスイッチ操作等に応じて、ボウル部３ａ内に伸び出て吐水孔２６から洗浄水を噴射する。
【００３８】
また、洗浄ノズル１５においては、各吐水孔２６に連通する流路が形成されている。これらの流路は、流調・流路切替弁装置５０から各吐水孔２６に連通する人体洗浄用給水流路の一部を構成する。本実施形態に係る衛生洗浄装置２は、人体洗浄用給水流路として、第１の給水流路であるおしり洗浄流路３１と、第２の給水流路であるおしりソフト流路３２と、第３の給水流路であるビデ洗浄流路３３と、第４の給水流路であるワイドビデ洗浄流路３４とを有する。
【００３９】
おしり洗浄流路３１は、その下流側においておしり洗浄吐水孔２６ａに連通し、おしり洗浄吐水孔２６ａに洗浄水を供給する。おしりソフト流路３２は、その下流側においておしりソフト吐水孔２６ｂに連通し、おしりソフト吐水孔２６ｂに洗浄水を供給する。ビデ洗浄流路３３およびワイドビデ洗浄流路３４は、それぞれの下流側においてビデ・ワイドビデ洗浄吐水孔２６ｃに連通し、ビデ・ワイドビデ洗浄吐水孔２６ｃに洗浄水を供給する。なお、洗浄ノズル１５が有する複数の吐水孔２６に対する人体洗浄用給水流路の構成は、本実施形態に限定されるものではなく、例えば、吐水孔２６と人体洗浄用給水流路が１対１で対応した構成であってもよい。
【００４０】
各吐水孔２６に供給された洗浄水は、吐水孔２６から上方へ向けて吐出され、便座６に着座した状態の使用者の局部洗浄等に用いられる。洗浄ノズル１５においては、ビデ洗浄流路３３およびワイドビデ洗浄流路３４によりビデ・ワイドビデ洗浄吐水孔２６ｃが共用されており、ビデ洗浄流路３３から供給される洗浄水により、ビデ洗浄が行われ、ワイドビデ洗浄流路３４から供給される洗浄水により、ワイドビデ洗浄が行われる。また、電解槽２３により生成された機能水は、人体洗浄用給水流路および吐水孔２６の洗浄等に用いられる。
【００４１】
ノズル洗浄室１６は、吐水口を有し、この吐水口から洗浄水を吐出することにより、洗浄ノズル１５の外面の洗浄、即ち胴体洗浄を行う。ノズル洗浄室１６に対しては、流調・流路切替弁装置５０から第５の給水流路であるノズル洗浄用流路３５が設けられている。ノズル洗浄用流路３５は、その下流側をノズル洗浄室１６の吐水口に連通させ、ノズル洗浄室１６に対してノズル洗浄用の洗浄水を供給する。
【００４２】
噴霧ノズル１７は、噴霧口を有し、この噴霧口から便器３のボウル部３ａの表面に洗浄水を噴霧する。噴霧ノズル１７は、ケースカバー５の内部あるいは外部に設けられる。噴霧ノズル１７に対しては、流調・流路切替弁装置５０から第６の給水流路である便器噴霧用流路３６が設けられている。便器噴霧用流路３６は、その下流側を噴霧ノズル１７の噴霧口に連通させ、噴霧ノズル１７に対して便器噴霧用の洗浄水を供給する。
【００４３】
脱臭ユニット１８は、主として便器３の外部の空気（ボウル部３ａ内の空気以外の空気）を吸い込み、吸い込んだ空気に含まれるアンモニア成分等の悪臭成分を捕集または分解し、トイレルームに吐き出す。脱臭ユニット１８は、吸気口４１ａおよび排気口４１ｂが形成されたケース体４１を有し、ケース体４１内に、集塵フィルタ４２、送風ファン４３、脱臭フィルタ４４、水受け部４５、および噴霧部４６を有する。
【００４４】
集塵フィルタ４２は、吸気口４１ａと送風ファン４３との間に設けられ、吸気口４１ａから吸い込まれる空気に含まれる塵や埃などを捕らえる。送風ファン４３は、トイレルーム内の空気を吸気口４１ａから吸い込み、ケース体４１内で脱臭された空気を排気口４１ｂから吐き出す。脱臭フィルタ４４は、例えば、多孔質構造を有し、送風ファン４３と排気口４１ｂとの間に設けられ、噴霧部４６から噴霧された洗浄水を保持する。脱臭フィルタ４４は、その保持した水分により、空気中の悪臭成分を取り込む。水受け部４５は、脱臭フィルタ４４の下方に設けられ、脱臭フィルタ４４から滴下した水を受ける。
【００４５】
噴霧部４６は、噴霧口を有し、脱臭フィルタ４４の上方に設けられ、噴霧口から脱臭フィルタ４４に対して洗浄水を噴霧する。噴霧部４６は、電磁弁を有し、その電磁弁を開弁させることで、噴霧動作を行う。噴霧部４６の電磁弁は、制御部１０からの制御信号に基づいて開閉動作する。噴霧部４６に対しては、流調・流路切替弁装置５０から第７の給水流路である脱臭ユニット噴霧用流路３７が設けられている。脱臭ユニット噴霧用流路３７は、その下流側を噴霧部４６の噴霧口に連通させ、噴霧部４６に対して脱臭ユニット噴霧用の洗浄水を供給する。
【００４６】
以上のように、本実施形態に係る衛生洗浄装置２は、給水源から供給された水を吐出する複数の吐水部と、複数の吐水部の上流側に設けられ、各吐水部への流路（給水流路）に対して水を供給する流路を切り替える流調・流路切替弁装置５０とを備えている。ここで、衛生洗浄装置２が備える複数の吐水部は、洗浄ノズル１５の複数の吐水孔２６、ノズル洗浄室１６、噴霧ノズル１７、および脱臭ユニット１８の噴霧部４６である。
【００４７】
すなわち、流調・流路切替弁装置５０は、電磁ポンプ２５を介して供給された洗浄水の行先を、おしり洗浄吐水孔２６ａに連通するおしり洗浄流路３１、おしりソフト吐水孔２６ｂに連通するおしりソフト流路３２、ビデ・ワイドビデ洗浄吐水孔２６ｃに連通するビデ洗浄流路３３とワイドビデ洗浄流路３４、ノズル洗浄室１６の吐水口に連通するノズル洗浄用流路３５、噴霧ノズル１７の噴霧口に連通する便器噴霧用流路３６、および脱臭ユニット１８の噴霧部４６の噴霧口に連通する脱臭ユニット噴霧用流路３７のいずれかの給水流路に切り替える。
【００４８】
このように、流調・流路切替弁装置５０は、給水源から供給された水を吐出する複数の吐水部の上流側に設けられ、各吐水部への給水流路に対して水を供給する流路を切り替える流路切替手段として機能する。また、流調・流路切替弁装置５０は、洗浄ノズル１５の各吐水孔２６から吐水する洗浄水の流量を変化させる。
【００４９】
以下、本実施形態に係る流調・流路切替弁装置５０について、図３から図１１を用いて説明する。なお、本実施形態に係る流調・流路切替弁装置５０においては、図５に示す側を正面側（前側）、その反対側（図６に示す側）を背面側（後側）とし、図５における左側および右側をそれぞれ左側および右側とし、図５における上側および下側をそれぞれ上側および下側とする。
【００５０】
図３から図１０に示すように、流調・流路切替弁装置５０は、相対移動することで流路を切り替える複数のバルブディスク（５２，５３）と、複数のバルブディスクを収容するケーシング５１と、ケーシング５１から突出した状態で設けられ、上述した複数の吐水部の各吐水部に対する流路を構成する排水管部５４とを有する。
【００５１】
本実施形態に係る流調・流路切替弁装置５０は、複数のバルブディスクとして、ケーシング５１に対して固定状態で設けられた第１のバルブディスである固定ディスク５２と、固定ディスク５２の上側に位置し、固定ディスク５２に対して回動可能に設けられた第２のバルブディスである可動ディスク５３とを有する。また、流調・流路切替弁装置５０は、ディスクバルブ機構の駆動源としてのモータ５５を有する。モータ５５は、可動ディスク５３を回動させることで、ディスクバルブ機構を駆動させる。
【００５２】
モータ５５は、ケーシング５１の上側に設けられている。モータ５５は、例えば、パルス電力に同期して回動するステッピングモータ（パルスモータ）である。モータ５５は、図示せぬ配線により制御部１０に接続されており、制御部１０により、モータ５５の回動動作が制御される。
【００５３】
モータ５５は、略円筒状のケース体内にコイルやロータ等を収納したモータ本体部５５ａと、モータ本体部５５ａから突出したモータ軸５５ｂとを有する。モータ５５は、モータ軸５５ｂを下方に向けて突出させるとともに、モータ軸５５ｂの軸方向を上下方向とする向きで設けられている。つまり、流調・流路切替弁装置５０は、トイレ装置１において便器３に対して設けられた衛生洗浄装置２において、モータ軸５５ｂの軸方向を上下方向（鉛直方向）とするように設けられている。
【００５４】
このように、流調・流路切替弁装置５０は、ケーシング５１の上側にモータ５５を配置するとともにモータ軸５５ｂの軸方向を上下方向とし、いわゆる縦置きタイプの装置として構成されている。なお、ディスクバルブ機構の駆動源としては、モータ５５に限らず、ディスクバルブ機構において所望される動作が得られるようにバルブディスクを動作させることができるものであればよい。
【００５５】
固定ディスク５２および可動ディスク５３は、いずれも略円板状の部材であり、ケーシング５１内において、板面を上下方向に垂直な面とする向きで、固定ディスク５２を下側、可動ディスク５３を上側として上下に重なった状態（対面した状態）で設けられている。固定ディスク５２および可動ディスク５３は、互いに同心配置され、可動ディスク５３の回動により位置関係を変化させて流路を切り替えるディスクバルブ機構を構成する。ディスクバルブ機構においては、可動ディスク５３側が上流側、固定ディスク５２側が下流側となる。そして、可動ディスク５３は、その回転軸Ｏ１の方向を上下方向とする。
【００５６】
固定ディスク５２は、ケーシング５１内において、その中心軸回りについて回動不能な状態で設けられている。固定ディスク５２は、おしり洗浄流路３１、おしりソフト流路３２、ビデ洗浄流路３３、ワイドビデ洗浄流路３４、ノズル洗浄用流路３５、便器噴霧用流路３６、および脱臭ユニット噴霧用流路３７の各給水流路に連通する複数の（７つの）排水ポート５２ａを有する。これらの排水ポート５２ａは、可動ディスク５３側（上側）に開口するとともに上側に向けて開口した開口部である。
【００５７】
可動ディスク５３は、固定ディスク５２と略同じ外径を有し、固定ディスク５２の上側において、固定ディスク５２に対して摺動回動するように設けられている。可動ディスク５３は、固定ディスク５２の各排水ポート５２ａに対応する開口部５３ａを有し、固定ディスク５２に対する相対回動位置により、選択的に１つまたは複数の排水ポート５２ａに開口部５３ａを重ねる（連通させる）とともに、他の排水ポート５２ａを閉塞する。可動ディスク５３の開口部５３ａが重なった（連通した）排水ポート５２ａは、流路切替弁装置５０に供給された洗浄水の通水が可能な状態となる。
【００５８】
可動ディスク５３は、モータ軸５５ｂに固定された軸支部材５６を介して、モータ軸５５ｂに連結されている。軸支部材５６は、上側を開口側としてモータ軸５５ｂを受け入れて固定させる筒状本体部５６ａと、筒状本体部５６ａの軸方向の中間部に設けられた拡径筒状の拡径部５６ｂと、筒状本体部５６ａから下方に向けて突出した軸状の支軸部５６ｃとを有する。
【００５９】
軸支部材５６は、筒状本体部５６ａに対して上側からモータ軸５５ｂを挿入させ、モータ軸５５ｂに対して相対回転不能に連結されている。軸支部材５６は、支軸部５６ｃを、可動ディスク５３に対して上側から貫通させた状態で、可動ディスク５３に固定されている。可動ディスク５３の中心部には、支軸部５６ｃを相対回転不能に貫通させる部分として、上側に突出した円筒状のボス部５３ｂが設けられている。
【００６０】
また、軸支部材５６の筒状本体部５６ａの下端部には、環状のバネ座部材５７が外嵌されており、バネ座部材５７と可動ディスク５３との間には、コイルばね５８が設けられている。コイルばね５８は、円錐コイルばねであり、軸支部材５６の支軸部５６ｃを貫通させるように設けられている。コイルばね５８は、拡径側である上側をバネ座部材５７に当接させるとともに、縮径側である下側を可動ディスク５３のボス部５３ｂの付根部分（下端外周部）に当接させており、バネ座部材５７を介して軸支部材５６に対して可動ディスク５３を下方に付勢している。なお、バネ座部材５７は筒状本体部５６ａの下端部に形成された段差部によって軸支部材５６に係止されており、軸支部材５６に対するバネ座部材５７の上方への移動が規制されている。
【００６１】
このような構成において、流調・流路切替弁装置５０は、モータ５５の駆動によって可動ディスク５３を回動させることにより、固定ディスク５２が有する複数の排水ポート５２ａについて通水が可能となる排水ポート５２ａを選択的に切り替える。これにより、選択された排水ポート５２ａに応じて、おしり洗浄流路３１、おしりソフト流路３２、ビデ洗浄流路３３、ワイドビデ洗浄流路３４、ノズル洗浄用流路３５、便器噴霧用流路３６、および脱臭ユニット噴霧用流路３７のいずれかの給水流路に、洗浄水が選択的に供給される。
【００６２】
ケーシング５１は、略円筒状の部分であって固定ディスク５２および可動ディスク５３等を収容する収容本体部６１と、収容本体部６１の下側に設けられ、ケーシング５１の下部を構成する排水流路形成部６２とを有する。
【００６３】
収容本体部６１は、筒軸方向を上下方向とした円筒状の周壁部６３と、周壁部６３の上部において周壁部６３の径方向外側に突出した張出部６４とを有する。張出部６４は、周壁部６３の周方向について略対向する位置となる左右２箇所に設けられている。張出部６４は、平面視で頂点側を突出端側とした略三角形状を有する略三角柱状の外形に沿う突起部分である。
【００６４】
収容本体部６１は、周壁部６３内において、周壁部６３の円筒状の外形に沿う円筒状の収容空間６３ａを形成している。収容本体部６１において、周壁部６３の下側は、排水流路形成部６２の水平面状の上面６２ａにより覆われた態様となっており、上面６２ａ上に、固定ディスク５２が位置している。つまり、収容空間６３ａ内における下端部に固定ディスク５２が設けられており、その上に可動ディスク５３が設けられている。また、収容本体部６１は、周壁部６３の円筒形状にならって上側を円形状に開放させており、その上側開口部の中央部にモータ軸５５ｂを位置させている。
【００６５】
固定ディスク５２と排水流路形成部６２の上面６２ａとの間には、ゴム等により形成されたシール部材６５が設けられている。シール部材６５は、固定ディスク５２の下側に形成された凹部５２ｂに嵌合した状態で設けられている。シール部材６５は、固定ディスク５２が有する複数の排水ポート５２ａの形成部位に対応して、流路間を仕切るように所定の形状を有する。
【００６６】
収容本体部６１は、ケーシング５１において、略水平面状の上端面部５１ａを形成している。上端面部５１ａは、周壁部６３の上側の開口端面および２箇所の張出部６４の上面を含む。ケーシング５１の上端面部５１ａに対して、介装板７１を介してモータ５５が設けられている。
【００６７】
介装板７１は、ケーシング５１の上端面部５１ａの形状に対応した形状を有する板状部材であり、その下側の板面を上端面部５１ａに合わせるとともに、上側の板面上に、モータ５５を支持する。介装板７１は、上下両側の面部に、モータ５５側およびケーシング５１側のそれぞれに形成された位置決め用の形状部分に対応した所定の凹凸形状部を有し、ケーシング５１とモータ５５との間に挟まれた状態で水平方向について位置決めされている。
【００６８】
モータ５５は、各張出部６４に螺挿されるネジ７２により、２箇所でケーシング５１に固定されている。このため、各張出部６４には、ネジ７２が螺挿されるネジ穴が上側に開口するように形成されており、各ネジ穴に対応して、介装板７１における各張出部６４に対応する部分の頂部７１ａに、ネジ７２を貫通させる孔部７１ｂが形成されている。
【００６９】
また、モータ５５においては、略円筒状のケース体の下端部から、各張出部６４に対応する位置に、径方向外側に向けて突出した板状の固定用突片部５５ｃが設けられている。固定用突片部５５ｃには、ネジ７２を貫通させる孔部が形成されており、固定用突片部５５ｃは、介装板７１上に重なった状態となる。ネジ７２は、固定用突片部５５ｃおよび介装板７１の頂部７１ａを貫通し、張出部６４のネジ穴６４ａに螺挿されることで、モータ５５をケーシング５１に固定させる。このようにして、ケーシング５１の収容本体部６１の上側に、介装板７１を介してモータ５５が設けられている。
【００７０】
ケーシング５１の収容本体部６１内には、上下を開口させた円筒状のスリーブ部材７４が設けられている。スリーブ部材７４は、円筒面に沿う外周面７４ａを有するとともに、収容本体部６１の周壁部６３の内径と略同じ外径を有し、周壁部６３内に挿嵌されている。スリーブ部材７４の上下方向の略中央部には外周溝７４ｂが形成され、外周溝７４ｂにＯリング７５が外嵌されている。Ｏリング７５により、スリーブ部材７４と、収容空間６３ａをなす周壁部６３の内周面６３ｂとの間が密閉されている。
【００７１】
スリーブ部材７４は、下側に開口した下端部内に、可動ディスク５３を位置させるとともに、下側の開口端を、固定ディスク５２の外縁部に上側から当接させている。可動ディスク５３の外径は、スリーブ部材７４の下端部の内径と略同じ寸法となっている。なお、スリーブ部材７４は、その上端面７４ｃを、上端面部５１ａと略面一とする。
【００７２】
スリーブ部材７４は、その上部の内周側において、スリーブ部材７４の内径を部分的に縮径させた縮径部を有し、この縮径部において、円筒状の内周面により、上下を開放させた縮径孔部７４ｄを形成している。縮径孔部７４ｄには、軸支部材５６が上下に貫通している。軸支部材５６は、拡径部５６ｂの外径を縮径孔部７４ｄの内径と略一致させており、拡径部５６ｂにより、縮径孔部７４ｄに対して挿嵌された状態で設けられている。
【００７３】
縮径孔部７４ｄ内において、軸支部材５６の筒状本体部５６ａには、環状のパッキン７６が外嵌されている。パッキン７６は、拡径部５６ｂとその下方に位置するバネ座部材５７との間に設けられており、軸支部材５６と、縮径孔部７４ｄをなす内周面との間を密閉する。
【００７４】
以上のような構成において、スリーブ部材７４の縮径孔部７４ｄを形成する縮径部より下側における可動ディスク５３の周囲の空間部分が、流調・流路切替弁装置５０に供給されて各部へ供給される洗浄水が一時的に溜まる領域である溜り部７７となる。詳細には、溜り部７７は、主に、可動ディスク５３の上面、可動ディスク５３のボス部５３ｂの外周面、並びにスリーブ部材７４の下部の内周面および縮径部の下面等により形成された空間部分である（破線枠Ａ１参照）。なお、溜り部７７の上側は、上述したように軸支部材５６に外嵌されたパッキン７６により密閉されている。
【００７５】
流調・流路切替弁装置５０においては、溜り部７７に連通するように、洗浄水の入水経路である給水経路が設けられている。給水経路は、周壁部６３の外周面６３ｃに対して通水ブロック部７８を介して設けられた中空円筒状の入水管部７９を有する。通水ブロック部７８および入水管部７９は、溜り部７７と略同じ高さ位置に設けられている。通水ブロック部７８および入水管部７９の高さ位置は、周壁部６３における上下略中央部の高さ位置である。
【００７６】
本実施形態では、通水ブロック部７８および入水管部７９は、周壁部６３の左前部の部位に設けられており、入水管部７９は、左方に向けて水平状に突出している。具体的には、通水ブロック部７８は、周壁部６３の外周面６３ｃからブロック状に突出した部分であって、右向きの平面として形成された側面７８ａを有し、側面７８ａから側面７８ａに対して垂直方向に直線状に入水管部７９が突設されている。入水管部７９には、図示せぬ給水パイプ等の配管が接続され、電磁ポンプ２５からの洗浄水が供給される。
【００７７】
通水ブロック部７８の内部には、溜り部７７に連通する通水路７８ｂが形成されている。通水路７８ｂは、一側を入水管部７９の基端側に連通させるとともに、他側を周壁部６３側に開口させている。通水路７８ｂの他側は、周壁部６３を貫通するように形成された給水口６３ｆ、および溜り部７７を形成するスリーブ部材７４の下部の周壁を貫通するように形成された通水口７４ｆを介して、溜り部７７に連通している。給水口６３ｆおよび通水口７４ｆは、いずれも通水路７８ｂの下流側の開口形状に対応して横長矩形状の開口形状を有する。
【００７８】
以上のように、ケーシング５１には、洗浄水供給部１２に対して給水源から供給された水をケーシング５１内に流入させる給水口６３ｆが設けられている。そして、ケーシング５１は、その収容本体部６１において、固定ディスク５２および可動ディスク５３の周囲を囲繞するとともに給水口６３ｆのみ開口させた周壁部６３を有する。
【００７９】
収容本体部６１とともにケーシング５１を構成する排水流路形成部６２について説明する。排水流路形成部６２は、略円筒状の収容本体部６１に対して、左右両側に張り出すように形成されたブロック状の部分である。
【００８０】
排水流路形成部６２には、複数の排水管部５４が配設されている。排水管部５４は、中空円筒状の部分である。本実施形態では、上述した７本の給水流路（３１〜３７）のそれぞれを構成する７本の排水管部５４が設けられている。各排水管部５４には、各給水流路（３１〜３７）を構成するパイプ等が接続される。すなわち、流調・流路切替弁装置５０からの水の各供給先に対して、ケーシング５１をなす排水流路形成部６２に突設された排水管部５４を含む給水流路が構成されている。そして、排水流路形成部６２は、可動ディスク５３および固定ディスク５２の下側において各排水管部５４に連通するケース内流路８１を形成する（図９参照）。
【００８１】
排水流路形成部６２において、各ケース内流路８１は、その上流側を、固定ディスク５２の各排水ポート５２ａに連通させるように排水流路形成部６２の上面６２ａに開口させる。つまり、排水流路形成部６２においては、７つの給水流路（３１〜３７）に対応したケース内流路８１が形成されており、各ケース内流路８１は、その上流側を、対応する排水ポート５２ａに連通させている。各ケース内流路８１の下流側は、排水流路形成部６２において側方に向けて開口した排出口８２に連通しており、排出口８２を介して、排水管部５４の基端側に連通させている。
【００８２】
本実施形態では、排水流路形成部６２の後側に２本の排水管部５４（５４Ａ，５４Ｂ）が設けられ、排水流路形成部６２の左側に２本の排水管部５４（５４Ｃ，５４Ｄ）が設けられ、排水流路形成部６２の右側に３本の排水管部５４（５４Ｅ，５４Ｆ，５４Ｇ）が設けられている。
【００８３】
具体的には、排水流路形成部６２の後側においては、周壁部６３の下方の部位に、後向きの平面である後側面６２ｂが形成されており、この後側面６２ｂから後側面６２ｂに対して垂直方向に直線状に２本の排水管部５４Ａ，５４Ｂが突設されている。つまり、後側の排水管部５４Ａ，５４Ｂは、後方に向けて水平状に突出している。２本の排水管部５４Ａ，５４Ｂは、横並びに配設されている。
【００８４】
また、排水流路形成部６２の左側においては、ブロック状の突出部６２ｃが水平状に突設されている。突出部６２ｃには、その左右内側（右側）に、後向きの平面である内側後側面６２ｄが形成され、内側後側面６２ｄに対して左右外側（左側）かつ前側に位置する外側後側面６２ｅが形成されている。そして、内側後側面６２ｄおよび外側後側面６２ｅのそれぞれの面から、各面に対して垂直方向に直線状に排水管部５４Ｃ，５４Ｄが突設されている。つまり、左側の排水管部５４Ｃ，５４Ｄは、後方に向けて水平状に突出している。２本の排水管部５４Ｃ，５４Ｄは、排水管部５４Ａ，５４Ｂと略同じ高さ位置に設けられている。
【００８５】
また、排水流路形成部６２の右側においては、右側の張出部６４の下方の部位に、右向きの平面である右側面６２ｆが形成されており、この右側面６２ｆから右側面６２ｆに対して垂直方向に直線状に２本の排水管部５４Ｅ，５４Ｆが突設されている。つまり、右側の排水管部５４Ｅ，５４Ｆは、右方に向けて水平状に突出している。２本の排水管部５４Ｅ，５４Ｆは、横並びに配設されている。また、右側面６２ｆの後方には、右側面６２ｆよりも右外側に位置する外側右側面６２ｇが形成されており、この外側右側面６２ｇから外側右側面６２ｇに対して垂直方向に直線状に排水管部５４Ｇが突設されている。つまり、右側の排水管部５４Ｇは、右方に向けて水平状に突出している。
【００８６】
これらの排水管部５４と上述した７つの給水流路との対応関係の一例は、次のとおりである。後方に向けて突出した４本の排水管部５４（５４Ａ，５４Ｂ，５４Ｃ，５４Ｄ）が、上述した７つの給水流路のうちの人体洗浄用給水流路（おしり洗浄流路３１、おしりソフト流路３２、ビデ洗浄流路３３、ワイドビデ洗浄流路３４）のいずれかを構成する。また、右方に向けて突出した３本の排水管部５４（５４Ｅ，５４Ｆ，５４Ｇ）が、残りの３つの給水流路（ノズル洗浄用流路３５、便器噴霧用流路３６、脱臭ユニット噴霧用流路３７）のいずれかを構成する。
【００８７】
以上のように７本の排水管部５４を備えた流調・流路切替弁装置５０において、全ての排水管部５４は、可動ディスク５３および固定ディスク５２より下方の位置に設けられている。
【００８８】
すなわち、ケーシング５１において、可動ディスク５３および固定ディスク５２は、円筒状の周壁部６３の下側を塞ぐ態様で形成された排水流路形成部６２の上面６２ａの上側に設けられている。そして、上下方向について、７本の排水管部５４は、いずれも排水流路形成部６２の上面６２ａの高さ位置（図９、直線Ｈ１参照）よりも下方に位置するように配設されている。なお、７本の排水管部５４は、概ね共通の高さ位置に設けられているが、後方に向けて突出した４本の排水管部５４の方が、右方に向けて突出した３本の排水管部５４よりもわずかに下方に位置している。
【００８９】
また、各排水管部５４以降の各給水流路（３１〜３７）は、その全体が可動ディスク５３および固定ディスク５２よりも下方に位置するように配されている。つまり、各排水管部５４から洗浄水の供給先まで延設された７本の給水流路（３１〜３７）は、衛生洗浄装置２において、排水流路形成部６２の上面６２ａの高さ位置（図９、直線Ｈ１参照）よりも下側の高さ領域に配管されている。
【００９０】
また、流調・流路切替弁装置５０において、全ての排水管部５４は、ケーシング５１からの突出方向を、水平方向に向けている。すなわち、直線筒状の排水管部５４は、排水流路形成部６２が有する鉛直状の側面に対して垂直方向に突設されており、中心軸方向を、上下方向に対して垂直な平面（水平面）に沿う水平方向（例えば図９における左右方向）に沿わせている。
【００９１】
また、流調・流路切替弁装置５０においては、ケーシング５１の下端部に、側方に開口して排水管部５４に連通する排出口８２が設けられている。すなわち、各排水管部５４の基端側に連通する排出口８２は、ケーシング５１の下端部を構成する排水流路形成部６２の各側面に開口している。したがって、後方に向けて突出した４本の排水管部５４に対する排出口８２は、後方に向けて開口しており、右方に突出した３本の排水管部５４に対する排出口８２は、右方に向けて開口している。
【００９２】
以上のような構成を備えた流調・流路切替弁装置５０における洗浄水の流れについて、図９を用いて説明する。図９に示すように、電磁ポンプ２５を経た洗浄水は、入水管部７９から給水口６３ｆおよび通水口７４ｆを介して溜り部７７に流入する（矢印Ｆ１参照）。溜り部７７に流入した洗浄水は、可動ディスク５３の動作に基づいて、可動ディスク５３の開口部５３ａから、この開口部５３ａに連通した排水ポート５２ａへと下方に向けて流れる（矢印Ｆ２参照）。
【００９３】
排水ポート５２ａを経た洗浄水は、排水流路形成部６２の上面６２ａに開口して排水ポート５２ａと連通したケース内流路８１へと流れ（矢印Ｆ３参照）、そのケース内流路８１の下流側の排出口８２からこれに連通した排水管部５４に流入し、その排水管部５４を含んで構成される給水流路へと排出され（矢印Ｆ４参照）、その給水流路に対応した供給先へと洗浄水が供給される。
【００９４】
なお、図９においては、７本の排水管部５４のうち、右側に位置する排水管部５４Ｆについての流路構成を示しているが、他の排水管部５４についても、上述した洗浄水の流れと同様となる。すなわち、溜り部７７に対しては、１箇所の入水管部７９から洗浄水が流入し、溜り部７７内の洗浄水は、可動ディスク５３の開口部５３ａおよび可動ディスク５３の回動位置によってその開口部５３ａが連通した固定ディスク５２の排水ポート５２ａへと下方に流れ、排水ポート５２ａからそれに対応したケース内流路８１を経て、そのケース内流路８１に対応した排水管部５４から排出される。
【００９５】
また、衛生洗浄装置２においては、操作部１１に対する操作に基づいて流調・流路切替弁装置５０の動作により選択された供給先への洗浄水の供給が終了した後、ケーシング５１内に溜まった洗浄水をケーシング５１外へと排出させる水抜きが行われる。ケーシング５１内の水抜きは、可動ディスク５３の開口部５３ａが固定ディスク５２の排水ポート５２ａに連通した状態において、バキュームブレーカ２４の動作によりケーシング５１内に連通する空間を大気開放させることによって行われる。
【００９６】
以上説明した本実施形態に係る流調・流路切替弁装置５０およびそれを備えた衛生洗浄装置２によれば、バルブディスクとしての固定ディスク５２および可動ディスク５３を収容するケーシング５１内に水が残ることを抑制することができ、ケーシング５１内における菌の繁殖、およびケーシング５１内の水の凍結に起因するバルブディスクの破損を防ぐことができる。
【００９７】
本実施形態に係る流調・流路切替弁装置５０においては、ケーシング５１に設けられた７本の排水管部５４の全てが、ケーシング５１内に収容された固定ディスク５２および可動ディスク５３よりも下方の位置に設けられている。
【００９８】
このような構成によれば、ケーシング５１内の水抜きにおいて、ケーシング５１内における溜り部７７や固定ディスク５２および可動ディスク５３内に残存する洗浄水を、重力の作用を利用して効率的に下方に位置する排水管部５４に導くことができる。これにより、ケーシング５１内の水捌けを良くすることができ、ケーシング５１内における固定ディスク５２および可動ディスク５３の周りやこれらのディスクの内部に水が残存することを防止することができる。結果として、ケーシング５１内において菌が繁殖することを防止することができ、また、例えば寒冷地等において、ケーシング５１内に残存した水が凍結して膨張することで生じるバルブディスクの破損を防ぐことができ、周囲の環境に関わらず流調・流路切替弁装置５０の動作性を保持することが可能となる。
【００９９】
また、本実施形態に係る流調・流路切替弁装置５０は、ケーシング５１の上側にモータ５５を配置するとともにモータ軸５５ｂの軸方向およびこれに連結された可動ディスク５３の回転軸Ｏ１の方向を上下方向とし、いわゆる縦置きタイプの装置として構成されている。
【０１００】
このような構成によれば、複数の排水管部５４を全てバルブディスクよりも下方の位置に配設するための構成を容易に実現することができるとともに、ディスクバルブ機構における洗浄水の流れを、重力の作用が得られやすい方向とすることができる。これにより、ケーシング５１内の水抜きにおいて排水速度を速めることができ、高い水捌け性を得ることが可能となる。
【０１０１】
また、本実施形態に係る流調・流路切替弁装置５０において、７本の排水管部５４の全てが、ケーシング５１からの突出方向を水平方向に沿う方向としている。
【０１０２】
このような構成によれば、例えば排水管部５４をケーシング５１から下方に向けて突出させた構成と比べて、流調・流路切替弁装置５０全体の高さを抑制することができ、流調・流路切替弁装置５０のコンパクト化を図ることができる。これにより、洗浄水供給部１２のコンパクト化、延いては衛生洗浄装置２のコンパクト化を図ることができる。また、全ての排水管部５４の突出方向が水平方向となることで、排水管部５４に接続される配管の取り回しを容易に行うことが可能となり、装置構成の簡略化を図ることが可能となる。
【０１０３】
排水管部５４の突出方向に関しては、水平方向よりも下方に傾斜した向きであってもよい。具体的には、図１１に示すように、排水管部５４は、排水流路形成部６２における鉛直状の側面（図１１においては右側面６２ｆ）に対して、斜め下方に向けて突設されていてもよい。かかる構成において、直線筒状の排水管部５４は、その中心軸方向（直線Ｄ１参照）が水平方向（直線Ｄ０参照）に対して角度α１をなすように、斜め下方に傾斜状に設けられている。なお、角度α１の大きさは特に限定されるものではないが、図１１に示す例では、角度α１は約６〜８°である。
【０１０４】
このような構成によれば、排水管部５４内においても、重力の作用を利用して効率的に洗浄水を排出することができる。これにより、ケーシング５１内の水抜きにおける水捌け性を効果的に向上させることができる。なお、７本の排水管部５４の突出方向については、全てが水平方向であってもよく、一部または全部が図１１に示すように下側へ傾斜した方向であってもよい。つまり、全ての排水管部５４が、ケーシング５１からの突出方向を、水平方向または水平方向よりも下方に向けていればよい。
【０１０５】
また、本実施形態に係る流調・流路切替弁装置５０においては、ケーシング５１の下端部に、側方に開口して排水管部５４に連通する排出口８２が設けられている。
【０１０６】
このような構成によれば、例えばケーシング５１の下面に排出口８２を開口させた構成と比べて、流調・流路切替弁装置５０全体の高さを抑制することができ、流調・流路切替弁装置５０のコンパクト化を図ることができる。
【０１０７】
また、本実施形態に係る流調・流路切替弁装置５０において、ケーシング５１は、固定ディスク５２および可動ディスク５３の周囲を囲繞するとともに給水口６３ｆのみ開口させた周壁部６３と、複数の排水管部５４が配設された排水流路形成部とを有する。
【０１０８】
このような構成によれば、例えばケーシング５１の上面に給水口６３ｆを設けた構成と比べて、流調・流路切替弁装置５０全体の高さを抑制することができ、流調・流路切替弁装置５０のコンパクト化を図ることができる。また、軸支部材５６等の、モータ５５と可動ディスク５３の連結部分に、給水口から流入する洗浄水が直接的に衝突することを避けることができるので、可動ディスク５３について安定的な動作を容易に確保することができる。また、ケーシング５１において、ディスクバルブ機構等を収容する上側の部分と、複数の排水管部５４が配設される下側の部分とを上下方向について領域的に分けることが可能となる。これにより、複数の排水管部５４を全てバルブディスクよりも下方の位置に配設するための構成を容易に実現することができるとともに、ケーシング５１の構成を比較的シンプルにすることが可能となる。このことは、流調・流路切替弁装置５０のコンパクト化や製造の容易化に寄与することとなる。
【０１０９】
以上のように実施形態を用いて説明した本発明に係る衛生洗浄装置および流路切替弁装置は、上述した実施形態に限定されず、本発明の趣旨に沿う範囲で、種々の態様を採用することができる。
【符号の説明】
【０１１０】
２      衛生洗浄装置
１５    洗浄ノズル
１６    ノズル洗浄室
１７    噴霧ノズル
１８    脱臭ユニット
２６    吐水孔
４６    噴霧部
５０    流調・流路切替弁装置（流路切替弁装置）
５１    ケーシング
５２    固定ディスク（バルブディスク）
５３    可動ディスク（バルブディスク）
５４    排水管部
５５    モータ
６１    収容本体部
６２    排水流路形成部
６３    周壁部
６３ｆ  給水口
８１    ケース内流路
８２    排出口
【図１】
2020016105.tif 000003
【図２】
2020016105.tif 000004
【図３】
2020016105.tif 000005
【図４】
2020016105.tif 000006
【図５】
2020016105.tif 000007
【図６】
2020016105.tif 000008
【図７】
2020016105.tif 000009
【図８】
2020016105.tif 000010
【図９】
2020016105.tif 000011
【図１０】
2020016105.tif 000012
【図１１】
2020016105.tif 000013